(57)【特許請求の範囲】
【請求項１】
プラグピンが突設されたプラグ頭部及び前記プラグピンの突設方向の軸線に交差する方向に延設されたコード導入部を備えたＬ型プラグの前記プラグピンを差し込み可能なジャックを備えた電子機器を収納するケースを有する電子機器収納体であって、
前記ケースは、
前記ジャックが水平方向一方側に臨むように前記電子機器を収納する収納部と、
前記収納部の前記水平方向一方側に設けられた開口部と、
前記開口部に対し挿抜される、当該開口部の形状に対応する台形形状の開口カバーと、
を有し、
前記開口部は、
鉛直方向に対し所定の角度だけ傾斜すると共に、前記電子機器の前記ジャックに前記プラグピンが差し込まれた状態の前記Ｌ型プラグの前記コード導入部を、前記傾斜に沿って配設する、傾斜壁部を、当該開口部の背面側に備えるとともに、
水平方向にそれぞれ平行な上底壁部及び下底壁部と、少なくとも一方が前記傾斜壁部である２つの脚壁部とを備えた、台形形状である
ことを特徴とする電子機器収納体。
【請求項２】
請求項１記載の電子機器収納体において、
前記開口部は、
前記下底壁部の長さ寸法が前記上底壁部の長さ寸法よりも大きい
ことを特徴とする電子機器収納体。
【請求項３】
請求項１又は請求項２記載の電子機器収納体において、
前記開口カバーは、
前記ジャックとは反対側となる側の表面の鉛直方向両側にそれぞれ設けられた２つの凹部間の、当該開口カバーの底辺方向と平行な隔壁、により構成された把持部を備える
ことを特徴とする電子機器収納体。
【請求項４】
請求項３記載の電子機器収納体において、
前記把持部は、
互いに前記底辺方向にずれた位置に設けられた前記２つの凹部間の前記隔壁により構成される
ことを特徴とする電子機器収納体。
【請求項５】
請求項１乃至請求項４のいずれか１項記載の電子機器収納体において、
前記ケースは、
前記収納部を備えるケース本体と、
前記ケース本体に対し開閉可能に支持されたケースカバーと、
を備え、
前記開口部は、
前記下底壁部と前記２つの脚壁部それぞれの一部とを備えた、前記ケース本体側の第１開口部と、
前記上底壁部と前記２つの脚壁部それぞれの残りとを備えた、前記ケースカバー側の第２開口部と、
を含み、
前記第２開口部は、
前記上底壁部に、前記開口部に前記開口カバーが挿入される際に当該開口カバーが摺接すると共に当該開口カバーに設けられた凹部に係合するクリック突起を備える
ことを特徴とする電子機器収納体。
【請求項６】
プラグピンが突設されたプラグ頭部及び前記プラグピンの突設方向の軸線に交差する方向に延設されたコード導入部を備えたＬ型プラグの前記プラグピンを差し込み可能なジャックを備えた電子機器を収納するケースを有する電子機器収納体であって、
前記ケースは、
前記ジャックが水平方向一方側に臨むように前記電子機器を収納する収納部と、
前記収納部の前記水平方向一方側に設けられた開口部と、
を有し、
前記開口部は、
鉛直方向に対し所定の角度だけ傾斜すると共に、前記電子機器の前記ジャックに前記プラグピンが差し込まれた状態の前記Ｌ型プラグの前記コード導入部を、前記傾斜に沿って配設する、傾斜壁部を備え、
かつ、前記電子機器収納体は、
前記開口部に対し挿抜される、当該開口部の形状に対応する開口カバーをさらに有する
ことを特徴とする電子機器収納体。
【請求項７】
プラグピンが突設されたプラグ頭部及び前記プラグピンの突設方向の軸線に交差する方向に延設されたコード導入部を備えたＬ型プラグの前記プラグピンを差し込み可能なジャックを備えた電子機器を収納するケースを有する電子機器収納体であって、
前記ケースは、
前記ジャックが水平方向一方側に臨むように前記電子機器を収納する収納部と、
前記収納部の前記水平方向一方側に設けられた開口部と、
を有し、
前記開口部は、
鉛直方向に対し所定の角度だけ傾斜すると共に、前記電子機器の前記ジャックに前記プラグピンが差し込まれた状態の前記Ｌ型プラグの前記コード導入部を、前記傾斜に沿って配設する、傾斜壁部を備え、
前記ケースは、
前記収納部を備えるケース本体と、
前記ケース本体に対し開閉可能に支持されたケースカバーと、
を備え、
前記開口部は、
前記ケース本体側の第１開口部と、
前記ケースカバー側の第２開口部と、
を含む
ことを特徴とする電子機器収納体。
【発明の詳細な説明】
【技術分野】
【０００１】
本発明は、Ｌ型プラグを差し込み可能なジャックを備えた電子機器を収納する電子機器収納体に関する。
【背景技術】
【０００２】
特許文献１には、Ｌ型プラグを差し込み可能なジャックを備えた電子機器が開示されている。この電子機器の筐体には、開口部（筐体の側面とプラグ抜け部の側端部との間の開放部分）が形成されており、ユーザは、その開口部を通じてＬ型プラグのプラグピンを電子機器のジャックに差し込むことができる。
【先行技術文献】
【特許文献】
【０００３】
【特許文献１】特開２００２−２１６８８５号公報
【発明の概要】
【発明が解決しようとする課題】
【０００４】
上記のようにＬ型プラグのプラグピンを電子機器のジャックに差し込む場合に、電子機器を収納するケースの開口部に対するＬ型プラグの収まりを良好に保持できれば、非常に便利である。
【０００５】
本発明の目的は、ケースの開口部に対するＬ型プラグの収まりを良好に保持できる電子機器収納体を提供することにある。
【課題を解決するための手段】
【０００６】
上記目的を達成するために、本願発明の電子機器収納体は、プラグピンが突設されたプラグ頭部及び前記プラグピンの突設方向の軸線に交差する方向に延設されたコード導入部を備えたＬ型プラグの前記プラグピンを差し込み可能なジャックを備えた電子機器を収納するケースを有する電子機器収納体であって、前記ケースは、前記ジャックが水平方向一方側に臨むように前記電子機器を収納する収納部と、前記収納部の前記水平方向一方側に設けられた開口部と、前記開口部に対し挿抜される、当該開口部の形状に対応する台形形状の開口カバーと、を有し、前記開口部は、鉛直方向に対し所定の角度だけ傾斜すると共に、前記電子機器の前記ジャックに前記プラグピンが差し込まれた状態の前記Ｌ型プラグの前記コード導入部を、前記傾斜に沿って配設する、傾斜壁部を、当該開口部の背面側に備えるとともに、水平方向にそれぞれ平行な上底壁部及び下底壁部と、少なくとも一方が前記傾斜壁部である２つの脚壁部とを備えた、台形形状であることを特徴とする。
【０００７】
本願発明の電子機器収納体においては、Ｌ型プラグのプラグピンを差し込み可能なジャックを備えた電子機器が、そのジャックが水平方向一方側に臨むように、ケースの収納部に収納される。Ｌ型プラグは、プラグピンが突設されたプラグ頭部と、プラグピンの突設方向の軸線に交差する方向に延設されたコード導入部とを備える。ケースの収納部の水平方向一方側には、開口部が設けられており、ユーザは、この開口部を介して、電子機器のジャックにＬ型プラグのプラグピンを差し込むことができる。このとき、開口部には、鉛直方向に対し所定の角度だけ傾斜した傾斜壁部が設けられており、電子機器のジャックにプラグピンが差し込まれた状態のＬ型プラグのコード導入部は、この傾斜壁部の傾斜に沿って配設される。
【０００８】
このようにケースの開口部に設けた傾斜壁部によりコード導入部が斜め向きとなるようにＬ型プラグの向きをガイドすることができるので、ケースの開口部に対するＬ型プラグの収まりを良好に保持することが可能となる。
【発明の効果】
【０００９】
本発明によれば、ケースの開口部に対するＬ型プラグの収まりを良好に保持することができる。
【図面の簡単な説明】
【００１０】
【図１】本発明の一実施形態の印刷装置収納体及び印刷装置の概略構成を説明するための、ケースカバーが閉じ、開口カバーが挿入された状態を表す斜視図である。
【図２】印刷装置収納体及び印刷装置の概略構成を説明するための、ケースカバーが開き、開口カバーが挿入された状態を表す斜視図である。
【図３】印刷装置収納体及び印刷装置の概略構成を説明するための、ケースカバーが開き、開口カバーが抜かれた状態を表す斜視図である。
【図４】印刷装置収納体及び印刷装置の概略構成を説明するための、ケースカバーが開き、開口カバーが取り外され、Ｌ型ＤＣプラグが差し込まれた状態を表す斜視図である。
【図５】開口部の構成を模式的に表す斜視図である。
【図６】開口カバーの構成を模式的に表す斜視図である。
【図７】開口カバーを開口部に装着するときの様子を説明するための説明図である。
【発明を実施するための形態】
【００１１】
以下、本発明の一実施形態について図面を参照しつつ説明する。なお、図面中に「前」「後」「左」「右」「上」「下」の注記がある場合は、明細書中の説明における「前」「後」「左」「右」「上」「下」とは、その注記された方向を指す。
【００１２】
＜印刷装置収納体及びそれに収納された印刷装置の概略構成＞
まず、図１〜図４を参照しつつ、本実施形態の印刷装置収納体及びそれに収納された印刷装置の概略構成について説明する。
【００１３】
図１〜図４に示すように、本実施形態の印刷装置収納体２（電子機器収納体に相当）は、携帯型の印刷装置３（電子機器に相当）を収納するケース５と、開口カバー４と、を有する。
【００１４】
ケース５は、平面視略長方形状のケース本体７と、平面視略長方形状のケースカバー９と、を有する。
【００１５】
ケース本体７は、その内部に収納部１１を備える。収納部１１は、ケース本体７内の正面側である前側において水平方向である左右方向に沿って設けられている。収納部１１には、印刷装置３が、後述の給紙口１９が天側である上側、後述の排紙口２５が前側、後述のジャック２０が右側（水平方向一方側に相当）に臨むように、横置きに収納される。
【００１６】
ケース本体７内の上記収納部１１の背面側である後側には、印刷装置３に供給される被印字用紙（図示せず）を巻回した被印字用紙ロール（図示せず）を保持可能なロール保持装置１が取り付けられている。
【００１７】
ケースカバー９は、ケース５の後端側に設けられた２つのヒンジ部１５，１５により、ケース本体７に対し開閉可能に支持されている。ケースカバー９は、閉じ位置（図１に示す位置）と、開き位置（図２〜図４に示す位置）と、の間で回動可能である。
【００１８】
印刷装置３は、略直方体状のハウジング１７を有する。ハウジング１７の上面部には、給紙口１９が設けられており、上記被印字用紙ロールから繰り出された上記被印字用紙は、給紙口１９からハウジング１７の内部へ供給される。ハウジング１７内には、供給される被印字用紙を所定の搬送経路に沿って搬送する搬送ローラ（図示せず）、搬送される被印字用紙に所望の印字を形成する印字ヘッド（図示せず）等が設けられている。ハウジング１７の前面部には、排紙口２５が設けられており、被印字用紙に印字が形成された後の印字済み用紙は、排紙口２５からハウジング１７の外部へ排出される。
【００１９】
ケース５の上記排紙口２５に対応する位置である、ケースカバー９の前面部（ケースカバー９が閉じ位置に位置する状態で前面部となる面部）には、開口部２７が設けられており、排紙口２５から上記ハウジング１７の外部へ排出された上記印字済み用紙は、開口部２７からケース５の外部へ排出される。
【００２０】
また、ハウジング１７の右面部には、ジャック２０が設けられている。ジャック２０は、ＡＣアダプタが備えるＤＣプラグのプラグピンの差し込み口であり、ジャック２０には、Ｌ型ＤＣプラグ７０（Ｌ型プラグに相当）のプラグピン（図示せず）を差し込み可能である。Ｌ型ＤＣプラグ７０は、上記プラグピンが突設されたプラグ頭部７２と、上記プラグピンの突設方向の軸線に交差する方向に延設されコード７６を導入するコード導入部７４と、を備える。
【００２１】
ケース５の右面部における上記収納部１１の右側に対応する位置（収納部１１に収納された印刷装置３のジャック２０に対向する位置）には、開口部６０が設けられている。開口部６０は、ケース本体７の右面部に設けられた第１開口部６２と、ケースカバー９の右面部（ケースカバー９が閉じ位置に位置する状態で右面部となる面部）に設けられた第２開口部６４と、により構成されている。
【００２２】
開口カバー４は、開口部６０に対し挿抜可能に、ケース５に装着される。開口部６０の奥行き側（左側）にある印刷装置３のジャック２０は、開口カバー４の本体部９０が開口部６０に挿入された状態（図１及び図２に示す状態）では、開口カバー４により覆われ、塵や埃、液体等から保護された状態となり、開口カバー４の本体部９０が開口部６０から抜かれた状態（図３及び図４に示す状態）では、露出され、開口部６０を介してＬ型ＤＣプラグ７０のプラグピンを差し込み可能な状態となる。
【００２３】
＜開口部の構成＞
次に、図２〜図５を参照しつつ、開口部６０の構成について説明する。
【００２４】
図２〜図５に示すように、開口部６０は、全体として略台形形状に形成され、比較的大きな奥行き寸法を備える。開口部６０は、水平方向である前後方向に平行な上底壁部６６を上側に備え、前後方向に平行な下底壁部６８を地側である下側に備え、鉛直方向である上下方向に全体的として略平行な鉛直脚壁部８８を前側に備え、上下方向に対し全体として所定の角度だけ傾斜すると共に、当該開口部６０の奥行き側にある印刷装置３のジャック２０にプラグピンが差し込まれた状態のＬ型ＤＣプラグ７０のコード導入部７４を上記傾斜に沿って配設する、傾斜脚壁部８２を、後側に備える。なお、鉛直脚壁部８８及び傾斜脚壁部８２は、各請求項記載の２つ脚壁部に相当し、そのうち傾斜脚壁部８２は、各請求項記載の傾斜壁部にも相当する。
【００２５】
開口部６０では、下底壁部６８の長さ寸法が上底壁部６６の長さ寸法よりも大きく、傾斜脚壁部８２は、上底壁部６６の後側の底角が下底壁部６８の後側の底角よりも大きくなるように上下方向に対し傾斜している。
【００２６】
開口部６０は、上述のように、ケース本体７側の第１開口部６２と、ケースカバー９側の第２開口部６４と、により構成されている。上記下底壁部６８、鉛直脚壁部８８の一部（「符号８６」部分）、及び傾斜脚壁部８２の一部（「符号８０」部分）は、第１開口部６２に設けられており、上記上底壁部６６、鉛直脚壁部８８の残り（「符号８４」部分）、及び傾斜脚壁部８２の残り（「符号７８」部分）は、第２開口部６４に設けられている。
【００２７】
第２開口部６４の上底壁部６６には、クリック突起９９が設けられている。クリック突起９９は、開口部６０に上記開口カバー４の本体部９０が挿入される際に、本体部９０が摺動すると共に、本体部９０の後述の凹部９６に係合する。
【００２８】
ユーザが上記構成の開口部６０を介して印刷装置３のジャック２０にＬ型ＤＣプラグ７０のプラグピンを差し込むときには、図４及び図５に示すように、傾斜脚壁部８２により、コード導入部７４が後斜め下向きとなる（コード７６側の端部が後下側となる）ようにＬ型ＤＣプラグ７０の向きがガイドされる。これにより、ジャック２０にプラグピンが差し込まれた状態のＬ型ＤＣプラグ７０のコード導入部７４は、傾斜脚壁部８２の傾斜に沿って後斜め下向きとなるように配設される。
【００２９】
＜開口カバーの構成＞
次に、図１〜図３及び図６を参照しつつ、開口カバー４の構成について説明する。
【００３０】
図１〜図３及び図６に示すように、開口カバー４は、上記本体部９０と、被支持部９２と、ユーザが把持するための把持部９３とを備える。
【００３１】
本体部９０は、上記開口部６０の形状に対応する全体として略台形形状に形成され、開口部６０の奥行き寸法に対応する比較的大きな厚さ寸法を備える。
【００３２】
被支持部９２は、本体部９０の下部から上記ジャック２０に対向する側に延設され、ケース本体７の上記開口部６０の奥行き側に設けられた凹部９１により挿抜可能に支持される。
【００３３】
本体部９０の上記ジャック２０とは反対側となる側の表面９４の上端部及び下端部には、それぞれ比較的大きな凹部９６，９８が設けられている。凹部９６，９８は、互いに本体部９０の底辺方向にずれた位置に設けられている。把持部９３は、凹部９６，９８間の、本体部９０の底辺方向と平行な隔壁９５により構成されている。
【００３４】
ユーザが上記構成の開口カバー４をケース５に装着するときには、図７に示すように、親指Ｆ１及び人差し指Ｆ２をそれぞれ凹部９６，９８に入れ親指Ｆ１及び人差し指Ｆ２で把持部９３（隔壁９５）を摘むように把持し、被支持部９２が上記凹部９１に挿入されるように本体部９０を下底側から開口部６０に挿入する。本体部９０が開口部６０にある程度挿入されると、本体部９０の上底が、上記クリック突起９９に接触し、その後クリック突起９９に対し摺動して、本体部９０が開口部６０にほぼ完全に挿入されると、クリック突起９９が凹部９６に係合し、ユーザはクリック感を得る。これにより、ユーザは、本体部９０の開口部６０への挿入動作を終了する。
【００３５】
＜本実施形態による効果＞
以上説明したように、本実施形態においては、ケース５の収納部１１の右側には、開口部６０が設けられており、ユーザは、この開口部６０を介して、印刷装置３のジャック２０にＬ型ＤＣプラグ７０のプラグピンを差し込むことができる。このとき、開口部６０には、上下方向に対し所定の角度だけ傾斜した傾斜脚壁部８２が設けられており、印刷装置３のジャック２０にプラグピンが差し込まれた状態のＬ型ＤＣプラグ７０のコード導入部７４は、この傾斜脚壁部８２の傾斜に沿って配設される。このようにケース５の開口部６０に設けた傾斜脚壁部８２によりコード導入部７４が斜め向きとなるようにＬ型ＤＣプラグ７０の向きをガイドすることができるので、ケース５の開口部６０に対するＬ型ＤＣプラグ７０の収まりを良好に保持することが可能となる。
【００３６】
また、本実施形態では特に、開口部６０は、その後側に傾斜脚壁部８２を備える。これにより、Ｌ型ＤＣプラグ７０のコード７６のユーザとは反対側への引き回しを容易に行うことができるので、利便性を向上することができる。
【００３７】
また、本実施形態では特に、開口部６０が略台形形状であり、開口部６０に対し挿抜される開口カバー４が、開口部６０の形状に対応する略台形形状である。これにより、開口カバー４を開口部６０に装着するときに、略台形形状の底辺部と脚部との作用により位置決めが容易となるので、開口カバー４を開口部６０に円滑に装着することができる。
【００３８】
また、本実施形態では特に、開口部６０は、下底壁部６８の長さ寸法が上底壁部６６の長さ寸法よりも大きく形成されている。これにより、開口カバー４を下底側から開口部６０に挿入することで、開口カバー４を開口部６０により円滑に装着することができる。
【００３９】
また、本実施形態では特に、開口カバー４は、当該開口カバー４の底辺方向と平行な隔壁９５により構成された把持部９３を備える。これにより、開口カバー４をその底辺方向が水平方向となるように把持することができるので、開口カバー４の操作性を向上することができる。
【００４０】
また、本実施形態では特に、把持部９３は、互いに底辺方向にずれた位置に設けられた２つの凹部９６，９８間の隔壁９５により構成される。これにより、ユーザが把持部９３を把持する際の指同士の位置に対応した形状とすることができるので、開口カバー４の操作性をより向上することができる。
【００４１】
また、本実施形態では特に、ケースカバー９側の第２開口部６４は、上底壁部６６に、開口部６０に開口カバー４が挿入される際に当該開口カバー４が摺接すると共に当該開口カバー４に設けられた凹部９６に係合するクリック突起９９を備える。これにより、開口カバー４の開口部６０への挿入完了時にユーザにクリック感を与えることができるので、ユーザに対し開口カバー４の開口部６０への挿入が完了したことを感覚的に認識させることができる。
【００４２】
＜変形例等＞
なお、本発明は、上記実施形態に限られるものではなく、その趣旨及び技術的思想を逸脱しない範囲内で種々の変形が可能である。
【００４３】
例えば、上記実施形態では、略台形形状の開口部６０の後側の脚壁部を傾斜壁部である傾斜脚壁部８２としたが、これに加え又は代え、略台形形状の開口部６０の前側の脚壁部を傾斜壁部としてもよい。この場合も、上記実施形態と同様の効果を得ることができる。
【００４４】
また、開口部６０の形状は、台形形状に限られず、傾斜壁部を備える他の形状であってもよい。この場合も、上記実施形態と同様の効果を得ることができる。
【００４５】
また、上記実施形態では、Ｌ型ＤＣプラグ７０を差し込み可能なジャック２０を備えた印刷装置３を収納する印刷装置収納体２を例にとって説明したが、本発明は、Ｌ型プラグを差し込み可能なジャックを備えた他の電子機器を収納する他の電子機器収納体にも適用可能である。
【００４６】
なお、以上の説明において、「垂直」「平行」「平面」等の記載がある場合には、当該記載は厳密な意味ではない。すなわち、それら「垂直」「平行」「平面」等とは、設計上、製造上の公差、誤差が許容され、「実質的に垂直」「実質的に平行」「実質的に平面」等という意味である。
【００４７】
また、以上の説明において、外観上の寸法や大きさが「同一」「等しい」「異なる」等の記載がある場合は、当該記載は厳密な意味ではない。すなわち、それら「同一」「等しい」「異なる」等とは、設計上、製造上の公差、誤差が許容され、「実質的に同一」「実質的に等しい」「実質的に異なる」等という意味である。
【００４８】
また、以上既に述べた以外にも、上記実施形態や各変形例による手法を適宜組み合わせて利用してもよい。
【００４９】
その他、一々例示はしないが、本発明は、その趣旨を逸脱しない範囲内において、種々の変更が加えられて実施されるものである。
【符号の説明】
【００５０】
２                印刷装置収納体（電子機器収納体）
３                印刷装置（電子機器）
４                開口カバー
５                ケース
７                ケース本体
９                ケースカバー
１１              収納部
２０              ジャック
６０              開口部
６２              第１開口部
６４              第２開口部
６６              上底壁部
６８              下底壁部
７０              Ｌ型ＤＣプラグ（Ｌ型プラグ）
７２              プラグ頭部
７４              コード導入部
８２              傾斜脚壁部（脚壁部、傾斜壁部）
８８              鉛直脚壁部（脚壁部）
９３              把持部
９４              表面
９５              隔壁
９６              凹部
９８              凹部
９９              クリック突起
【図１】
0006315282.tif 000002
【図２】
0006315282.tif 000003
【図３】
0006315282.tif 000004
【図４】
0006315282.tif 000005
【図５】
0006315282.tif 000006
【図６】
0006315282.tif 000007
【図７】
0006315282.tif 000008